(57)【要約】【課題】打ち込み工具の不用意な打ち込み動作を防止するためのコンタクトアームの先端にはノーズ部が取り付けられる。ノーズ部は、打ち込み具のサイズに合わせて複数種類のものが用意されており、コンタクトアームから取り外して使用しないノーズ部はノーズ収納部に収納しておくことができる。従来のノーズ収納部は、ラッチ部材等の部品を別途用いる構成であったので、コスト高を招き、組み立て工数が嵩む問題があった。本発明は、係る問題を生じないノーズ収納部を提供する。【解決手段】マガジン４０の本体部４１にノーズ収納部４５を設け、開閉蓋４２に収納蓋部４２ａと作用部４２ｂを設ける。開閉蓋４２を閉じると、ノーズ部の取り付け部３５ａが作用部４２ｂに押されて第１の位置から第２の位置に移動する。第２の位置では、ノーズ部は、抜け止め部４６ａと収納蓋部４２ａにより抜け出し不能に収納された状態となる。【選択図】図６
2018069424.tif 000002
【特許請求の範囲】
【請求項１】
射出口を有するドライバガイドにコンタクトアームが変位可能に設けられており、前記コンタクトアームに設けたノーズ部を打ち込み材に押し付けて前記コンタクトアームを前記ドライバガイドに対して相対変位させた状態で打ち込み動作を可能とした打ち込み工具であって、前記ノーズ部は前記コンタクトアームから取り外し可能で、該取り外したノーズ部を収納するためのノーズ収納部を備えており、該ノーズ収納部において前記ノーズ部が、打ち込み具を収容するマガジンの開閉蓋の閉じ状態を利用して保持される構成とした打ち込み工具。
【請求項２】
請求項１記載の打ち込み工具であって、前記ノーズ収納部は、前記ノーズ部を取り出し可能とする第１の位置と、前記ノーズ部を取り出し不能に保持する第２の位置を備えており、前記マガジンの開閉蓋に設けた作用部が、前記第１の位置に位置するノーズ部に干渉して該ノーズ部を前記第２の位置に変位させる構成とした打ち込み工具。
【請求項３】
請求項２記載の打ち込み工具であって、前記ノーズ収納部に、前記第２の位置に位置するノーズ部の抜け出しを規制する抜け出し規制部を設けた打ち込み工具。
【請求項４】
請求項２又は３に記載した打ち込み工具であって、前記マガジンの開閉蓋に、前記ノーズ収納部の第２の位置に位置させたノーズ部の抜け出しを規制する収納蓋部を設けた打ち込み工具。
【請求項５】
請求項２〜４の何れか１項に記載した打ち込み工具であって、前記作用部に、前記ノーズ部を前記開閉蓋の閉じ動作に連動して前記第１の位置から前記第２の位置へ変位させる案内部と、前記開閉蓋の閉じ位置において前記ノーズ部を前記第２の位置に保持する保持部を設けた打ち込み工具。
【請求項６】
請求項１〜５の何れか１項に記載した打ち込み工具であって、前記ノーズ部は、前記コンタクトアームに対する取り付け部と、打ち込み具を案内する案内部を備えており、前記取り付け部は、前記コンタクトアームを挿入させる取り付け孔を備えており、該取り付け部に、前記取り付け孔の内周側に位置して前記コンタクトアームに弾性的に押圧される取り付け弾性部と、前記取り付け孔の外周側に位置して前記ノーズ収納部への収納途中に当該ノーズ収納部に弾性的に係合する収納弾性部を設けた打ち込み工具。
【請求項７】
請求項１〜６の何れか１項に記載した打ち込み工具であって、前記ノーズ部は、前記コンタクトアームに対する取り付け部と、打ち込み具を案内する案内部を備えており、前記ノーズ収納部は、前記ノーズ部の取り付け部の位置を基準位置として前記案内部の長さについて異なる複数種類のノーズ部を収納可能な構成とした打ち込み工具。
【発明の詳細な説明】
【技術分野】
【０００１】
この発明は、圧縮エア駆動式の釘打ち機等の打ち込み工具に関する。
【背景技術】
【０００２】
圧縮エア駆動式の釘打ち機は、圧縮エアを駆動源として往復動する打撃ピストンを内装した工具本体部を備えている。打撃ピストンには細長い棒状の打撃ドライバが取り付けられている。工具本体部には、打ち込み具としての釘を射出方向に案内するためのドライバガイドが設けられている。ドライバガイドの内部（打ち込み通路）に釘を１本待機させた状態で打撃ピストンをエア圧により打ち込み方向に下動させると、打撃ドライバが打ち込み通路内を移動して釘が打ち込み方向に打撃される。打撃ドライバで打撃された釘はドライバガイドの先端部（射出口）から打ち出される。
【０００３】
この種の打ち込み工具では、不用意な打ち込み動作を防止するための工夫がなされている。例えば、ドライバガイドの先端部（射出口）には、コンタクトアームのノーズ部（コンタクトトップ）が上下に変位可能に併設されている。打ち込み時に、射出口とともにノーズ部を打ち込み材に押し付けてコンタクトアームを上方のオン位置に相対移動させた状態でのみ打ち込み動作がなされるようになっている。コンタクトアームのノーズ部には、主として打ち込み材への傷つきを防止するため樹脂製のキャップが被せられる。下記の特許文献１には、コンタクトアームから取り外したキャップを紛失しないよう収納しておくための収納部を設けた技術が開示されている。
【０００４】
上記の樹脂製キャップとは別に、コンタクトアームのノーズ部を取り換え可能とする技術が下記の特許文献２に開示されている。コンタクトアームのノーズ部は、打ち込む釘の頭部径や釘長さに合わせて打ち込み通路の孔径や案内長さが適切に設定されていることが正確な打ち込みを行うために必要とされる。このため、下記の特許文献２に開示された技術では、打ち込み通路の孔径や案内長さについて異なる２種類のアタッチメント部材が付け替え用として用意されており、使用者は打ち込む釘に合わせて適切なアタッチメント部材を選択して取り付けることができるようになっている。下記の特許文献２には、コンタクトアームから取り外して使用しないアタッチメント部材を収納しておくための格納部をマガジンに設けておく技術が開示されている。
【先行技術文献】
【特許文献】
【０００５】
【特許文献１】特許第３６５１７５６号公報
【特許文献２】特開２０１４−２３１１３６号公報
【発明の概要】
【発明が解決しようとする課題】
【０００６】
しかしながら、上記従来のアタッチメント格納部によれば、コンタクトアームから取り外したアタッチメントは金属部品であることもあってガタつきなく格納位置に保持するため、ばね付勢されたラッチ部材を用いた構成となっていた。このため、当該ラッチ部材等の別部品を別途必要とし、かつこれを組み付ける手間が掛かってコスト高を招く問題があった。
【０００７】
本発明は、従来のようなコスト高を招くことなく、コンタクトアームから取り外したノーズ部を収納しておくことができるようにすることを目的とする。
【課題を解決するための手段】
【０００８】
上記の課題は、以下の各発明により解決される。第１の発明は、射出口を有するドライバガイドにコンタクトアームが変位可能に設けられており、このコンタクトアームに設けたノーズ部を打ち込み材に押し付けてコンタクトアームをドライバガイドに対して相対変位させた状態で打ち込み動作を可能とした打ち込み工具である。第１の発明では、ノーズ部はコンタクトアームから取り外し可能となっている。第１の発明では、取り外したノーズ部を収納するためのノーズ収納部を備えた構成となっている。第１の発明では、ノーズ収納部においてノーズ部が、打ち込み具を収容するマガジンの開閉蓋の閉じ状態を利用して保持される構成となっている。
【０００９】
第１の発明によれば、マガジンの開閉蓋が閉じ状態とされることにより、ノーズ部がノーズ収納部に収容された状態に保持されることから、従来のようなラッチ部材等の別部品を用いることなくノーズ部を収納しておくことができる。従来のような別部品を用いないことにより、これを組み付ける手間を省略することができる。これにより、コスト高を招くことなく、ノーズ部をノーズ収納部に収納しておくことができる。
【００１０】
第２の発明は、第１の発明において、ノーズ収納部は、ノーズ部を取り出し可能とする第１の位置と、ノーズ部を取り出し不能に保持する第２の位置を備えており、マガジンの開閉蓋に設けた作用部が、第１の位置に位置するノーズ部に干渉して該ノーズ部を第２の位置に変位させる構成とした打ち込み工具である。
【００１１】
第２の発明によれば、マガジンの開閉蓋を閉じる動作により、ノーズ部がノーズ収納部内において第１の位置から第２の位置に変位されて取り出し不能に保持される。
【００１２】
第３の発明は、第２の発明において、ノーズ収納部に、第２の位置に位置するノーズ部の抜け出しを規制する抜け出し規制部を設けた打ち込み工具である。
【００１３】
第３の発明によれば、ノーズ部は第２の位置に位置することにより当該ノーズ収納部から抜け出し不能に保持される。
【００１４】
第４の発明は、第２又は第３の発明において、マガジンの開閉蓋に、ノーズ収納部の第２の位置に位置させたノーズ部の抜け出しを規制する収納蓋部を設けた打ち込み工具である。
【００１５】
第４の発明によれば、マガジンの開閉蓋に設けた収納蓋部によって、第２の位置に位置するノーズ部の当該ノーズ収納部からの抜け出しが規制される。
【００１６】
第５の発明は、第２〜第４の何れか一つの発明において、作用部に、ノーズ部を開閉蓋の閉じ動作に連動して第１の位置から第２の位置へ変位させる案内部と、開閉蓋の閉じ位置においてノーズ部を第２の位置に保持する保持部を設けた打ち込み工具である。
【００１７】
第５の発明によれば、開閉蓋の作用部には、案内部と保持部が設けられている。開閉蓋の閉じ動作中、作用部の案内部により、ノーズ部が第１の位置から第２の位置に変位させられる。開閉蓋が閉じられると、作用部の保持部によってノーズ部が第２の位置に保持される。
【００１８】
第６の発明は、第１〜第５の何れか一つの発明において、ノーズ部は、コンタクトアームに対する取り付け部と、打ち込み具を案内する案内部を備えた打ち込み工具である。第６の発明では、取り付け部は、コンタクトアームを挿入させる取り付け孔を備えている。第６の発明では、この取り付け部に、取り付け孔の内周側に位置してコンタクトアームに弾性的に押圧される取り付け弾性部と、取り付け孔の外周側に位置してノーズ収納部への収納途中に当該ノーズ収納部に弾性的に係合する収納弾性部を設けた構成となっている。
【００１９】
第６の発明によれば、取り付け弾性部によりコンタクトアームに対するノーズ部の取り付け状態が保持される。また、第６の発明によれば、ノーズ収納部への収納途中に収納弾性部がノーズ収納部に弾性的に係合して、当該ノーズ部がノーズ収納部に収納される。このことから、収納状態において、収納弾性部がノーズ収納部に係合されることにより、ノーズ部のノーズ収納部からの抜け出しが規制される。収納したノーズ部は、収納弾性部のノーズ収納部に対する弾性係合に抗して使用者が抜き出す場合にのみ、ノーズ収納部から抜き出すことができる。
【００２０】
第７の発明は、第１〜第６の何れか一つの発明において、ノーズ部は、コンタクトアームに対する取り付け部と、打ち込み具を案内する案内部を備えた打ち込み工具である。第７の発明では、ノーズ収納部は、ノーズ部の取り付け部の位置を基準位置として案内部の長さについて異なる複数種類のノーズ部を収納可能な構成となっている。
【００２１】
第７の発明によれば、コンタクトアームに対する取り付け位置を基準位置として異なる長さの案内部を有する複数種類のノーズ部を効率よくコンパクトに収納することができる。
【図面の簡単な説明】
【００２２】
【図１】本発明の実施形態に係る打ち込み工具の全体側面図である。
【図２】打ち込み案内部を図１中矢印(II)方向から見た側面図であって、ノーズ部の側面図である。
【図３】図２中(III)-(III)線断面矢視図であって、コンタクトアームに対するノーズ部の取り付け部の縦断面図である。
【図４】ノーズ部の斜視図である。
【図５】ノーズ部を図４中矢印(V)方向から見た斜視図である。
【図６】マガジンを図１中矢印(VI)方向から見た斜視図である。
【図７】ノーズ収納部の斜視図である。本図は、マガジンの開閉蓋を開放した状態を示している。本図では、ノーズ部が第１の位置に位置する状態が示されている。
【図８】ノーズ収納部の斜視図である。本図は、マガジンの開閉蓋を閉じる途中の状態を示している。本図では、ノーズ部が第１の位置に位置する状態が示されている。
【図９】ノーズ収納部の斜視図である。本図は、マガジンの開閉蓋を閉じる途中の状態であって、開閉蓋の作用部によりノーズ部が第１の位置から第２の位置に向かって移動する途中の状態を示している。
【図１０】ノーズ収納部の斜視図である。本図は、図７と同じくマガジンの開閉蓋を開放した状態であって、ノーズ部が第１の位置に位置する状態を示している。
【図１１】図１の(XI)-(XI)線断面矢視図であって、第２の位置に位置するノーズ部の主として取り付け部及び開閉蓋の作用部の縦断面図である。
【図１２】図１の(XII)-(XII)線断面矢視図であって、第２の位置に位置するノーズ部の主として案内部及び開閉蓋の収納蓋部の縦断面図である。
【発明を実施するための形態】
【００２３】
次に、本発明の実施形態を図１〜図１２に基づいて説明する。図１に示すように本実施形態の打ち込み工具１は、打ち込み具打撃機構を内装した工具本体部１０と、使用者が把持するハンドル部２０と、打ち込み具を案内する打ち込み案内部３０と、多数本の打ち込み具を装填したマガジン４０を備えている。ハンドル部２０は、工具本体部１０の側部から後方（使用者側）へ延びている。使用者は、当該打ち込み工具１の後方に位置してハンドル部２０を把持する。打ち込み案内部３０は、工具本体部１０の下部から下方へ延びている。打ち込み案内部３０において、１本の打ち込み具が工具本体部１０の打ち込み打撃機構により打撃されて打ち出される。打撃された１本の打ち込み具は、打ち込み案内部３０の先端（下端）から打ち込み材Ｗに向けて打ち出される。
【００２４】
ハンドル部２０の基部付近にトリガ２１が設けられている。ハンドル部２０を把持した手の指先でトリガ２１を上側へ引き操作すると、工具本体部１０に圧縮エアが供給される。圧縮エアはハンドル部２０の内部に設けた蓄圧室に蓄圧される。圧縮エアは、ハンドル部２０の後端に接続したエアホース（図示省略）を経て蓄圧室に供給される。図１では、エアホースを接続していない状態が示されている。ハンドル部２０の後端面には、エアホースを接続するための接続口２２が示されている。接続口２２にはゴムキャップ２３が被せられている。また、ハンドル部２０の後部には、当該打ち込み工具１をベルト掛け携帯するためのフック２４が備え付けられている。
【００２５】
工具本体部１０には、圧縮エアを駆動源として上下に往復動する打撃ピストンと、打撃ピストンに対して圧縮エアを吸排気するヘッドバルブが内装されている。打撃ピストンの下面に細長い打撃ドライバが結合されている。打撃ドライバは打ち込み案内部３０の打ち込み通路内を上下に往復動する。トリガ２１の引き操作によりヘッドバルブが開かれると、打撃ピストンの上室側に圧縮エアが供給されて打撃ピストンが下動する。打撃ピストンの下動により打撃ドライバが打ち込み通路内を下動する。打ち込み通路内を打撃ドライバが下動することにより１本の打ち込み具が打撃されて打ち込み案内部の下端（射出口）から打ち出される。
【００２６】
マガジン４０は、多数本の打ち込み具を一定間隔で平行に仮止めした連結打ち込み具を巻き回状態で装填可能な円筒形を有している。図６に示すようにマガジン４０は、連結打ち込み具を装填する半円筒形の本体部４１と、本体部４１を閉じる半円筒形の開閉蓋４２を備えている。開閉蓋４２は、本体部４１に対して支軸４３を介して開閉可能に結合されている。開閉蓋４２は、図１及び図６において手前側に回動して開かれる。
【００２７】
打ち込み案内部３０とマガジン４０との間に打ち込み具供給部２５が設けられている。打ち込み具供給部２５の送り動作により、マガジン４０から打ち込み具が１本ずつ打ち込み案内部３０の打ち込み通路内に供給される。打ち込み具供給部２５の送り動作は、工具本体部１０の打ち込み動作に連動してなされる。
【００２８】
図２及び図３に示すように打ち込み案内部３０には、コンタクトアーム３１が設けられている。コンタクトアーム３１は、打ち込み案内部３０に対して上下に相対移動可能に支持されている。コンタクトアーム３１の上部は、トリガ２１付近に至っている。コンタクトアーム３１の下部には、ノーズ部３５が取り付けられている。ノーズ部３５の下部は打ち込み案内部３０よりも下方（打ち込み材Ｗ側）に位置している。ノーズ部３５を打ち込み材Ｗに当接させた状態で当該打ち込み工具１を下方へ押し下げ操作すると、コンタクトアーム３１が上方へ相対的に移動する。コンタクトアーム３１が上方へ相対変位することによりトリガ２１の引き操作が有効になって工具本体部１０側に圧縮エアが供給され、従って打ち込み動作がなされる。これに対して、ノーズ部３５を打ち込み材Ｗに当接させて相対的に上動させていない状態では、トリガ２１の引き操作は無効となって打ち込み動作はなされない。これによりトリガ２１の不用意な引き操作による打ち込み動作が確実に防止される。
【００２９】
このようにトリガ２１の引き操作の有効、無効を判定するための機能を有するノーズ部３５は、コンタクトアーム３１の下部から取り外すことができる。取り外したノーズ部３５が図４及び図５に示されている。ノーズ部３５は、コンタクトアーム３１に対する取り付け部３５ａと、打ち込み具を打ち込み材Ｗの打ち込み部位へ案内するための案内部３５ｂを備えている。取り付け部３５ａは、円筒形状を有する案内部３５ｂの上部から側方へ張り出す状態に設けられている。取り付け部３５ａには、コンタクトアーム３１の下部を差し込んで結合するための円形の取り付け孔３５ｃが設けられている。
【００３０】
円筒形状を有する案内部３５ｂの内周側は、打ち込み具を打ち込み部位に案内する案内通路３５ｄとなっている。案内通路３５ｄの下端開口が射出口３５ｅとなっている。当該打ち込み工具１には、案内通路３５ｄの内径及び長さについて異なる２種類のノーズ部３５が用意されている。打ち込む打ち込み具の頭部径及び軸長さに合わせて適切なノーズ部３５を選択してコンタクトアーム３１の下部に取り付けておくことにより、打ち込み具を打ち込み直前において正確かつ安定した打ち込み姿勢で案内することができる。ノーズ部３５の案内通路３５ｄにより正確かつ安定した打ち込み姿勢で打ち込み部位に案内されることにより、打ち込み具を打ち込み部位に対して正確に打ち込むことができる。
【００３１】
案内部３５ｂの下部外周であって射出口３５ｅの周囲には、複数個の爪部３５ｈが設けられている。打ち込み具を斜めに打ち込むためにノーズ部３５を打ち込み材Ｗに傾けて当接させた際に、爪部３５ｈが打ち込み材Ｗに係合されることにより、打ち込み部位に対して射出口３５ｅが位置保持されて正確な斜め打ちを行うことができる。
【００３２】
上記２種類のノーズ部３５のうち、コンタクトアーム３１に取り付けないノーズ部３５は、ノーズ収納部４５に収納しておくことができる。使用しないノーズ部３５をノーズ収納部４５に収納しておくことにより、その紛失を防止することができるとともに、次回使用時に迅速にコンタクトアーム３１に取り付けることができる。
【００３３】
ノーズ収納部４５は、マガジン４０の後部に設けられている。ノーズ収納部４５の詳細が図６以降に示されている。ノーズ収納部４５は、マガジン４０の本体部４１に一体に設けた台座部４６と、台座部４６に一体に設けた円筒形状の筒体部４７を備えている。台座部４６は、本体部４１の後端縁から後方へ張り出す状態に設けられている。筒体部４７は、台座部４６から右方へ突き出す状態に設けられている。台座部４６から筒体部４７に至って、左右方向を深さ方向とする収納スペース４８が設けられている。収納スペース４８は、ハンドル部２０を把持した使用者から見て左方に開口する横倒し状態に設けられている。収納スペース４８は、ノーズ部３５のほぼ全体を収納可能な容積で設けられている。しかも、収納スペース４８は、収容したノーズ部３５を第１の位置と第２の位置との間で変位可能とする容積で設けられている。
【００３４】
図７、８、１０は、ノーズ部３５が収納スペース４８の第１の位置に位置する状態を示している。図９は、ノーズ部３５が、第１の位置から第２の位置に向かって移動する途中の状態を示している。図７〜図９において、収納スペース４８の概ね後部寄りの領域（使用者から見て手前側の領域）が第２の位置に設定されている。台座部４６の後部側角部には抜け止め部４６ａが一体に設けられている。抜け止め部４６ａは、収納スペース４８の開口側に張り出す状態に設けられている。図１に示すようにノーズ部３５が第２の位置に変位すると、当該ノーズ部３５の取り付け部３５ａの一部が抜け止め部４６ａの右側へ進入した状態となる。これにより、ノーズ部３５の当該収納スペース４８から抜け出し方向（使用者から見て左方、図１において紙面手前側）への変位が規制された状態となる。
【００３５】
マガジン４０の開閉蓋４２には、収納蓋部４２ａと、作用部４２ｂが一体に設けられている。収納蓋部４２ａは、開閉蓋４２の後端部から後方へ張り出す状態に設けられている。作用部４２ｂは、収納蓋部４２ａの張り出し基部から直交方向（開閉蓋４２の閉じ位置において右方）へ張り出す状態に設けられている。開閉蓋４２を本体部４１に対して閉じると、収納蓋部４２ａが収納スペース４８の開口の一部を塞ぐ状態となる。このため、収容したノーズ部３５は、上記抜け止め部４６ａに加えて、収納蓋部４２ａによっても収納スペース４８からの抜け出しが防止された状態となる。
【００３６】
図１１に示すように本体部４１に対して開閉蓋４２を閉じると、作用部４２ｂが収納スペース４８内に進入する。作用部４２ｂは、収納スペース４８の第１の位置側の内壁面に沿って進入する。作用部４２ｂの後面には、案内部４２ｃと保持部４２ｄが設けられている。案内部４２ｃとして、進入方向（開閉蓋４２の閉じ方向）に対して傾斜する案内傾斜面が設けられている。案内傾斜面は当該作用部４２ｂの厚さ寸法（前後幅）が変化する方向に傾斜している。案内部４２ｃの左側（図１１において上側）に保持部４２ｄが隣接して設けられている。保持部４２ｄはその厚さ寸法が変化せず、開閉蓋４２の閉じ方向に沿った平坦面に形成されている。
【００３７】
図８に示すように開閉蓋４２が完全に閉止される手前の段階で、作用部４２ｂの案内部４２ｃが、収納スペース４８内の第１の位置に収納したノーズ部３５の取り付け部３５ａに当接する。図９に示すようにこの当接状態で、開閉蓋４２をさらに閉じ方向へ変位させると、ノーズ部３５が作用部４２ｂの案内部４２ｃで押されて第２の位置に変位する。
【００３８】
図１２に示すようにマガジン４０の開閉蓋４２が本体部４１に対して完全に閉じられた状態になると、収納蓋部４２ａが収納スペース４８の開口の一部を塞いでノーズ部３５に覆い被さった状態となる。また、図１１に示すようにマガジン４０の開閉蓋４２が本体部４１に対して完全に閉じられた状態になると、作用部４２ｂの保持部４２ｄがノーズ部３５の取り付け部３５ａに当接して当該ノーズ部３５が第２の位置に保持される。ノーズ部３５が作用部４２ｂによって第２の位置に保持されると、ノーズ部３５の取り付け部３５ａが抜け止め部４６ａの右側に位置する結果、当該ノーズ部３５の収納スペース４８からの抜け出しが防止された状態となる。さらに、作用部４２ｂがノーズ部３５と収納スペース４８の内壁面との間に進入した状態となることにより、当該ノーズ部３５の第１の位置へ戻る方向の変位が規制された状態となる。
【００３９】
また、図４及び図５では省略されているが、ノーズ部３５の取り付け部３５ａの両側部には、弾性部材３６が取り付けられている。弾性部材３６は、取り付け部３５ａに設けた保持孔３５ｆを経て取り付け孔３５ｃの内周側にもはみ出す状態に保持されている。弾性部材３６の取り付け孔３５ｃの内周側にはみ出す部分が取り付け弾性部であり、外周側にはみ出す部分が収納弾性部に相当する。
【００４０】
図４及び図５では、弾性部材３６が取り外されて、矩形の保持孔３５ｆが見えている。保持孔３５ｆは、取り付け孔３５ｃを横切って反対側へ貫通する状態に設けられている。取り付け孔３５ｃの内周側にはみ出す弾性部材３６（取り付け弾性部）により、図３に示すように当該取り付け孔３５ｃにコンタクトアーム３１の下部を差し込んで取り付けた際に、弾性部材３６の弾性力が適度な抜け止め抵抗となってノーズ部３５のコンタクトアーム３１に対する取り付け状態が保持される。
【００４１】
また、ノーズ部３５をコンタクトアーム３１から取り外してノーズ収納部４５の第１の位置に収容する途中の段階で、取り付け孔３５ｃの外周側にはみ出す弾性部材３６（収納弾性部）が収納スペース４８の内壁面に設けた係合凸部４６ｂと抜け止め部４６ａの端縁部４６ｃにそれぞれ弾性的に係合されることにより、当該第１の位置への収納動作について一定の抵抗が与えられている。係る収納弾性部の弾性抵抗により、当該ノーズ部３５の収納スペース４８内からの抜け出しがより確実に防止された状態となる。ノーズ部３５がノーズ収容部４５の第１の位置に完全に収納されると、弾性部材３６は、係合凸部４６ｂと端縁部４６ｃに対して下方（収納スペース４８の奥側）へ外れた状態となる。
【００４２】
ノーズ部３５の取り付け部３５ａの底部３５ｇは、ノーズ収納部４５に対する収納方向（開閉蓋４２の閉じ方向）の基準面となっている。当該打ち込み工具１について用意される複数個のノーズ部３５は、コンタクトアーム３１に対する底部３５ｇの相対位置は共通で、案内部３５ｂの長さ及び案内通路３５ｄの径について、打ち込み具に合わせて複数種類のものが用意されている。一方、ノーズ収納部４５の下側壁部には、取り付け部３５ａの底部３５ｇが載せ掛けられる段部が設けられている。収納スペース４８の第１の位置にノーズ部３５を挿入すると、取り付け部３５ａの底部３５ｇがノーズ収納部４５の段部に載せ掛けられる。このため、複数種類のノーズ部３５は、案内部３５ｂの長さ等の違いには関係なく、取り付け部３５ａの挿入方向の収納位置については共通となっている。案内部３５ｂの長さの違いは、その先端部の筒体部４７内における位置の違いとなって表れる。
【００４３】
このように、案内部３５ｂの長さ等が異なる複数種類のノーズ部３５は、その取り付け部３５ａの位置が共通であることから、当該取り付け部３５ａに対する案内部４２ｃ、保持部４２ｄ及び抜け止め部４６ａの相対位置は、当該案内部３５ｂの長さ等の違いには関係なく同様に作用させることができるようになっている。
【００４４】
以上のように構成した本実施形態の打ち込み工具１によれば、マガジン４０に装填して打ち込み可能な打ち込み具について、長さや太さが異なる複数種類の打ち込み具に合わせてノーズ部３５を交換することができる。コンタクトアーム３１から取り外したノーズ部３５は、ノーズ収納部４５に収納しておくことができる。このため、取り外したノーズ部３５を紛失することがなくなり、次回使用する場合には探し出す等の手間をかけることなく迅速にコンタクトアーム３１に取り付けることができる。
【００４５】
しかも、例示した実施形態によれば、従来のようなラッチ部材等の別部品を用いる構成ではなく、マガジン４０の開閉蓋４２の閉じ状態を利用して、ノーズ部３５を収納スペース４８の第１及び第２の位置に抜け止めした状態で収納しておくことができる。従来のような別部品を用いないことにより、これを組み付ける手間を省略することができる。これにより、コスト高を招くことなく、ノーズ収納部を設けることができる。
【００４６】
また、ノーズ収納部４５の収納スペース４８には、ノーズ部３５を弾性部材３６の弾性抵抗に抗して取り出し可能とする第１の位置と、ノーズ部３５を抜け出し不能に保持する第２の位置が設定されている。マガジン４０の開閉蓋４２の閉じ動作に伴って当該開閉蓋４２に設けた作用部４２ｂの案内部４２ｃが、第１の位置に位置するノーズ部３５の取り付け部３５ａに干渉することにより、当該ノーズ部３５が第１の位置から第２の位置に変位する。開閉蓋４２が完全に閉じられると、作用部４２ｂの保持部４２ｄによってノーズ部３５が第２の位置に保持される。
【００４７】
さらに、ノーズ部３５が第１の位置から第２の位置に変位すると、抜け止め部４６ａにより当該ノーズ部３５の収納スペース４８からの抜け出しが規制される。また、マガジン４０の開閉蓋４２が完全に閉じられると、収納蓋部４２ａによってノーズ部３５が収納スペース４８から抜け出し不能に保持される。
【００４８】
ノーズ部３５の取り付け部３５ａには、弾性部材３６が取り付けられている。この弾性部材３６の、取り付け孔３５ｃの内周側にはみ出す部分（取り付け弾性部）により、当該ノーズ部３５のコンタクトアーム３１に対する取り付け状態が保持される。また、弾性部材３６の、取り付け孔３５ｃの外周側にはみ出す部分（収納弾性部）が、ノーズ収納部４５の内壁面に設けた係合凸部４６ｂと抜け止め部４６ａの端縁部４６ｃに弾性的に係合されることにより、第１の位置に収納したノーズ部３５の収納スペース４８内からの抜け出しが防止される。
【００４９】
また、ノーズ部３５の取り付け部３５ａには、ノーズ収納部４５に対する当該取り付け部３５ａの基準位置を設定するための底部３５ｇが設けられている。ノーズ部３５は、底部３５ｇをノーズ収納部４５の段部に載せ掛けた状態に収納されてその取り付け部３５ａの収納位置を案内部３５ｂの長さに関係なく共通の基準位置とされている。このため、打ち込み工具の長さに合わせて案内部３５ｂの長さが異なる複数種類のノーズ部３５について、共通の基準位置に位置する取り付け部３５ａに対して作用部４２ｂ、抜け止め部４６ａ及び収納蓋部４２ａを確実に作用させることができる。
【００５０】
以上説明した実施形態には種々変更を加えることができる。例えば、長さが異なる打ち込み具に対応して、案内部３５ｂの長さが異なる複数種類のノーズ部３５を収納するための構成を例示したが、長さについて１種類の打ち込み具のみを適用対象とする打ち込み工具１について、同一のノーズ部を予備部品として収納する場合についても例示したノーズ収納部を適用することができる。
【００５１】
また、圧縮エア駆動式の打ち込み工具を例示したが、電動モータを駆動源とする電動式打ち込み工具やガス燃焼式打ち込み具についても、コンタクトアームに取り付けるノーズ部の収納構造について例示したノーズ収納部を適用することができる。
【符号の説明】
【００５２】
Ｗ…打ち込み材
１…打ち込み工具
１０…工具本体部
２０…ハンドル部
２１…トリガ
２２…接続口
２３…ゴムキャップ
２４…フック
２５…打ち込み具供給部
３０…打ち込み案内部
３１…コンタクトアーム
３５…ノーズ部
３５ａ…取り付け部、３５ｂ…案内部、３５ｃ…取り付け孔、３５ｄ…案内通路
３５ｅ…射出口、３５ｆ…保持孔、３５ｇ…底部、３５ｈ…爪部
３６…弾性部材（取り付け弾性部、収納弾性部）
４０…マガジン
４１…本体部
４２…開閉蓋
４２ａ…収納蓋部、４２ｂ…作用部、４２ｃ…案内部、４２ｄ…保持部
４３…支軸
４５…ノーズ収納部
４６…台座部、４６ａ…抜け止め部、４６ｂ…係合凸部、４６ｃ…端縁部
４７…筒体部
４８…収納スペース
【図１】
2018069424.tif 000003
【図２】
2018069424.tif 000004
【図３】
2018069424.tif 000005
【図４】
2018069424.tif 000006
【図５】
2018069424.tif 000007
【図６】
2018069424.tif 000008
【図７】
2018069424.tif 000009
【図８】
2018069424.tif 000010
【図９】
2018069424.tif 000011
【図１０】
2018069424.tif 000012
【図１１】
2018069424.tif 000013
【図１２】
2018069424.tif 000014